(57)【要約】      （修正有）【課題】取り外し及び取り付けが簡単な落下防止具を提供する。【解決手段】１、上横支柱部（ａ）、下横支柱部（ｂ）及び連結する連結縦支柱部（ｃ）を有する落下防止柵部Ａ及び２、柵移動固定部及び柵落下防止移動可能部を支持し、物品収納設備に固定可能な支持体を有する柵落下防止固定部Ｂで構成される落下防止具であって、落下防止棚部Ａを棚落下防止固定部Ｂに引っ掛けて使用する。【選択図】図３
0003116900.tif 000002
【実用新案登録請求の範囲】
【請求項１】
前方向（物品の出し入れ方向）が開口された物品棚を備えてなる物品収納設備における物品の落下防止具であって、
１、該物品棚の前方向に設置され、物品が棚から落下するのを防止し、下記柵移動固定部（１）に固定できる上横支柱部（ａ）、下記柵落下防止移動可能部（２）に設置される下横支柱部（ｂ）及び上横支柱部（ａ）と下横支柱部（ｂ）とを連結すると共に落下防止柵部Ａが柵落下防止固定部Ｂから落下しないように設けられてなる連結縦支柱部（ｃ）を有する落下防止柵部Ａ及び
２、落下防止可能な位置になるように落下防止柵部Ａの上横支柱部（ａ）が固定化できると共に、物品を出し入れする際には落下防止柵部Ａが邪魔にならないように固定化した上横支柱部（ａ）を外して落下防止柵部Ａを下方向に移動できる脱着可能な柵移動固定部（１）、
落下防止柵部Ａが下方向に移動できるように、そして移動させた際に落下防止柵部Ａが落下しないように設けられた柵落下防止移動可能部（２）、
上記柵移動固定部（１）及び柵落下防止移動可能部（２）を支持し、物品収納設備に固定可能な支持体（３）を有する柵落下防止固定部Ｂ
で構成されることを特徴とする物品棚における落下防止具。
【請求項２】
請求項１に記載の物品棚における落下防止具を用いてなる落下防止付き物品収納設備であって、
前方向（物品の出し入れ方向）が開口された物品棚を備えてなる物品収納設備において、
１、該物品棚の前方向に、下記柵移動固定部（１）に固定できる上横支柱部（ａ）、下記柵落下防止移動可能部（２）に設置される下横支柱部（ｂ）及び上横支柱部（ａ）と下横支柱部（ｂ）とを連結すると共に落下防止柵部Ａが柵落下防止固定部Ｂから落下しないように設けられてなる連結縦支柱部（ｃ）を有する落下防止柵部Ａ及び
２、落下防止可能な位置になるように落下防止柵部Ａの上横支柱部（ａ）が固定化できると共に、物品を出し入れする際には落下防止柵部Ａが邪魔にならないように固定化した上横支柱部（ａ）を外して落下防止柵部Ａを下方向に移動できる脱着可能な柵移動固定部（１）、
落下防止柵部Ａが下方向に移動可能なように、そして移動させた際に落下防止柵部Ａが落下しないように設けられた柵落下防止移動可能部（２）、
上記柵移動固定部（１）及び柵落下防止移動可能部（２）を支持し、物品収納設備に固定可能な支持体（３）を有する柵落下防止固定部Ｂで構成される落下防止具を用いて、物品棚の前方向両端に柵落下防止固定部Ｂを設置し、その柵落下防止固定部Ｂに落下防止柵部Ａが設置されてなることを特徴とする落下防止付き物品収納設備。
【考案の詳細な説明】
【技術分野】
【０００１】
本考案は、容器の落下防止具及び落下防止付き物品収納設備に関するものである。
【背景技術】
【０００２】
従来、塗料、接着剤、インキ等で使用される原料やその製品等は容器に充填したものを４隅に立設した支柱間に棚板を架設してなる物品棚に積載し、使用されるまで収納（格納、貯蔵等）されている。
【０００３】
このような物品棚は、通常、前部が開口しており、この開口部から物品の出し入れが行われる。
【０００４】
しかしながら、物品棚に積載された容器は振動や衝撃等により棚から落下して容器が破損し内容物が流出して火災や環境汚染等の原因となる恐れがあるので、通常、何らかの方法で落下防止が施されている。
【０００５】
このような物品の落下を防止する方法として、前部の２本の支柱間にワイヤーロープを張設したり、両端部のみが折り曲げられた転落防止棒を２本の支柱に設けられた孔部に差し込んで固着させる物品棚の積載物転落防止装置（特許文献１）が公知である。
【０００６】
特許文献１に記載の装置は、該装置を構成する転落防止棒の折り曲げ部を孔部に差し込んで固定ないし取り付けたり、転落防止棒を取り外したりするといった作業が面倒であり、また取り外した転落防止棒が邪魔となり危険であるといった問題があった。
【０００７】
【特許文献１】実開平６−６２８４９号公報
【考案の開示】
【考案が解決しようとする課題】
【０００８】
解決しようとする問題点は、転落防止柵の取り付け及び取り外しが難しいこと、取り外した転落防止柵が邪魔になるといった点である。
【課題を解決するための手段】
【０００９】
本考案の物品棚における落下防止具は、前方向（物品の出し入れ方向）が開口された物品棚を備えてなる物品収納設備における物品の落下防止具であって、
１、該物品棚の前方向に設置され、物品が棚から落下するのを防止し、下記柵移動固定部（１）に固定できる上横支柱部（ａ）、下記柵落下防止移動可能部（２）に設置される下横支柱部（ｂ）及び上横支柱部（ａ）と下横支柱部（ｂ）とを連結すると共に落下防止柵部Ａが柵落下防止固定部Ｂから落下しないように設けられてなる連結縦支柱部（ｃ）を有する落下防止柵部Ａ及び
２、落下防止可能な位置になるように落下防止柵部Ａの上横支柱部（ａ）が固定化できると共に、物品を出し入れする際には落下防止柵部Ａが邪魔にならないように固定化した上横支柱部（ａ）を外して落下防止柵部Ａを下方向に移動できる脱着可能な柵移動固定部（１）、
落下防止柵部Ａが下方向に移動できるように、そして移動させた際に落下防止柵部Ａが落下しないように設けられた柵落下防止移動可能部（２）、
上記柵移動固定部（１）及び柵落下防止移動可能部（２）を支持し、物品収納設備に固定可能な支持体（３）を有する柵落下防止固定部Ｂ
で構成されることを最も主要な特徴とする。
本考案の落下防止付き物品収納設備は、上記の物品棚における落下防止具を用いてなる落下防止付き物品収納設備であって、前方向（物品の出し入れ方向）が開口された物品棚を備えてなる物品収納設備において、
１、該物品棚の前方向に、下記柵移動固定部（１）に固定できる上横支柱部（ａ）、下記柵落下防止移動可能部（２）に設置される下横支柱部（ｂ）及び上横支柱部（ａ）と下横支柱部（ｂ）とを連結すると共に落下防止柵部Ａが柵落下防止固定部Ｂから落下しないように設けられてなる連結縦支柱部（ｃ）を有する落下防止柵部Ａ及び
２、落下防止可能な位置になるように落下防止柵部Ａの上横支柱部（ａ）が固定化できると共に、物品を出し入れする際には落下防止柵部Ａが邪魔にならないように固定化した上横支柱部（ａ）を外して落下防止柵部Ａを下方向に移動できる脱着可能な柵移動固定部（１）、
落下防止柵部Ａが下方向に移動可能なように、そして移動させた際に落下防止柵部Ａが落下しないように設けられた柵落下防止移動可能部（２）、
上記柵移動固定部（１）及び柵落下防止移動可能部（２）を支持し、物品収納設備に固定可能な支持体（３）を有する柵落下防止固定部Ｂで構成される落下防止具を用いて、物品棚の前方向両端に柵落下防止固定部Ｂを設置し、その柵落下防止固定部Ｂに落下防止柵部Ａが設置されてなることを最も主要な特徴とする。
【考案の効果】
【００１０】
本考案の物品棚における落下防止具は、特定構造を有する、落下防止柵部Ａと柵落下防止固定部Ｂとの組合わせにより、落下防止柵の取り付け及び取り外しの作業が容易（ワンタッチ、ワンモーション）であり柵による自重が作業者に直接掛からないので取り付け及び取り外しの作業（開閉）による負担が少ないこと、２段構造（上横支柱部、下横支柱部）となっているので軽量にも係わらず落下防止効果及び強度が優れること、取り外した落下防止柵が邪魔にならないといった利点がある。
【考案を実施するための最良の形態】
【００１１】
取り外し及び取り付けが容易であり、取り外した柵が邪魔にならないようにするために、最小の部品数で落下防止効果を損なわずに実現した。
【実施例１】
【００１２】
図１は、本考案落下防止具を構成する落下防止柵部Ａの１実施例の正面方向から見た斜視一部省略図である。図２は、本考案落下防止具を構成する柵落下防止固定部Ｂの１実施例の斜視図である。図３は、本考案落下防止具を使用した落下防止付き物品収納設備の１実施例の斜視一部省略図（図３−１）及び取り付けられた落下防止具の使用方法の１実施例の斜視一部省略図（図３-1〜４）である。
【００１３】
落下防止柵部Ａは、落下防止固定部Ｂと組合わせて使用される。
【００１４】
落下防止柵部Ａは、柵移動固定部（１）に固定できる上横支柱部（ａ）、柵落下防止移動可能部（２）に設置される下横支柱部（ｂ）及び上横支柱部（ａ）と下横支柱部（ｂ）とを連結すると共に落下防止柵部Ａが柵落下防止固定部Ｂから落下しないように設けられてなる連結縦支柱部（ｃ）とを有するものである。
【００１５】
落下防止柵部Ａを構成する支柱部（ａ）〜（ｃ）の材質は、落下防止柵の機能（強度など）を満たすものであれば特に制限されないが、特に鉄、ステンレス、鋼、アルミニウムなどの金属類が好ましい。支柱部（ａ）〜（ｃ）の形状は、棒状、パイプ状、角状、ベルト状やこれらの形状が組合わさったものの何れの形状であっても良いが、特に取扱い性に優れ、強度も優れることから棒状、パイプ状のものが好ましい。
【００１６】
落下防止柵部Ａは、支柱部（ａ）〜（ｃ）で構成される。その役割は、何れも落下防止の効果を持つものであるが、上横支柱部（ａ）の両端を２箇所の柵移動固定部（１）に固定することにより上横支柱部（ａ）全体で物品の落下防止が可能となる。
更に、上横支柱部（ａ）の両端を２箇所の柵移動固定部（１）から外すことにより落下防止柵部Ａが下部方向に移動可能となり、物品棚の前方向（物品の出し入れ方向）が開口され、物品の出し入れが容易となる。
即ち、上横支柱部（ａ）は、物品が棚に収納された状態では上横支柱部（ａ）の両端が２個所の柵移動固定部（１）に固定されており物品の落下が防止され、更に、物品を棚から下ろす際には上横支柱部（ａ）の両端を外すことにより物品棚の前面が開口となるので物品の出し入れが容易となる。この様に上横支柱部（ａ）は柵移動固定部（１）と脱着可能な構成を持つものである。
【００１７】
下横支柱部（ｂ）は、連結縦支柱部（ｃ）で上横支柱部（ａ）と連結されており、上横支柱部（ａ）の両端を２箇所の柵移動固定部（１）から外した際に、落下防止柵部Ａが下部方向に移動可能となると共に下横支柱部（ｂ）の両端が柵落下移動可能部（２）で支持され、落下防止柵部Ａ自体が床などに落下するのを防止する。
【００１８】
連結縦支柱部（ｃ）は、上横支柱部（ａ）と下横支柱部（ｂ）とを連結して２段（２重）とすることにより落下防止能を向上させることができる。また、本考案の落下防止具を用いて物品収納設備に設置した際に、落下防止柵部Ａの下横支柱部（ｂ）の両端又は片端が柵落下防止固定部Ｂの柵落下防止移動可能部（２）から外れて落下防止柵部Ａ自体が床などに落下するのを防止する。
即ち、２箇所（以上）に設けられる連結縦支柱部（ｃ）の両端（右方向及び左方向）は、落下防止具を用いて物品収納設備に設置した際に落下防止柵部Ａの下横支柱部（ｂ）の両端又は片端が柵落下防止固定部Ｂの柵落下防止移動可能部（２）から外れて落下防止柵部Ａ自体が床などに落下しないように、２箇所の連結縦支柱部（ｃ）が、柵落下移動可能部（２）の近傍に位置するように、上横支柱部（ａ）と下横支柱部（ｂ）との間に設けられる。
【００１９】
連結縦支柱部（ｃ）は上記した機能を有するものであれば、平板状のものであっても良いが、軽量化の点から棒状、パイプ状のものが好ましい。棒状、パイプ状を使用した場合には、複数本使用することができるが、特に落下防止機能（強度など）を低下させないで、軽量化に有利であることから最小の本数（２本）とすることが好ましい。
【００２０】
また、本考案の目的を達成するものであれば、落下防止柵部Ａの構成を変更させることができる。具体的には、両端の２本の連結縦支柱部（ｃ）の間に更に連結支柱部（ｃ´）を設けること（図４−１参照）、該連結支柱部（ｃ´）が両端の２本の連結縦支柱部（ｃ）の役割を持つもの（図４−２参照）、連結縦支柱部（ｃ）を上横支柱部（ａ）と下横支柱部（ｂ）との両末端（柵落下防止固定具Ｂより外側）で連結させること、上横支柱部（ａ）と下横支柱部（ｂ）との間に更に１本以上の連結縦支柱部（ｃ）を設けることもできる。
【００２１】
落下防止固定部Ｂは、上記落下防止柵部Ａと組合わせて使用される。
柵落下防止固定部Ｂは、落下防止可能な位置になるように落下防止柵部Ａの上横支柱部（ａ）が固定化できると共に、物品を出し入れする際には落下防止柵部Ａが邪魔にならないように固定化した上横支柱部（ａ）を外して落下防止柵部Ａを下方向に移動できる脱着可能な柵移動固定部（１）、
落下防止柵部Ａが下方向に移動できるように、そして移動させた際に落下防止柵部Ａが落下しないように設けられた柵落下防止移動可能部（２）、
上記柵移動固定部（１）及び柵落下防止移動可能部（２）を支持し、物品収納設備に固定可能な支持体（３）を有するものである。
【００２２】
落下防止固定部Ｂの材質は、落下防止柵の機能（強度など）を満たすものであれば特に制限されないが、特に鉄、ステンレス、鋼、アルミニウムなどの金属類が好ましい。
【００２３】
落下防止固定部Ｂにおいて、柵移動固定部（１）は、落下防止柵部Ａの脱着可能な構成となっており、柵落下防止移動可能部（２）は、落下防止柵部Ａが下方向に移動できるように、そして移動させた際に落下防止柵部Ａが落下しない構成となっており、そして支持体（３）は、物品収納設備に固定可能な構成となっている。この様な構成として、図２のものが代表的なものであるが、上記した効果を発揮するものであれば図２のものに制限されるものではない。
【００２４】
図３は、本考案の落下防止具を使用した物品格納設備の１実施例である。図３−１〜４は物品格納設備に取り付けた落下防止具の取り外し、取り付けの作業を簡単に示した斜視一部省略図である。
【００２５】
図３−１は、４隅に立設した支柱間に棚板を架設してなる物品棚の対向する支柱間に本考案の落下防止具を取り付けた斜視一部省略図である。
【００２６】
取り付けは、一方の支柱の適当な位置に柵落下防止固定具Ｂの支持体（３）に設けられた穴を用いてボルト（ナット）等により接合し、柵落下防止固定具Ｂの柵落下移動可能部（２）に落下防止柵Ａの下横支柱部（ｂ）の先端を挿入し、次いでもう一方の支柱の適当な位置に柵落下防止固定具Ｂの柵落下移動可能部（２）に落下防止柵Ａの下横支柱部（ｂ）の先端を挿入しながら柵落下防止固定具Ｂの支持体（３）に設けられた穴を用いてボルト（ナット）等により接合することにより行うことができる。
【００２７】
通常、図３−１の状態で物品が収納されている。
【００２８】
次に、落下防止具の取扱いについて説明する。
【００２９】
図３−１〜４は、その取扱い作業を示す斜視一部省略図である。落下防止柵Ａを上方向に押し上げ（図３−２）て、柵落下防止固定具Ｂの柵移動固定部（１）から落下防止柵部Ａの上横支柱部（ａ）の両端を外し、落下防止柵部Ａの上横支柱部（ａ）を下方向に移動（図３−３）し、落下防止柵部Ａの下横支柱部（ｂ）を柵落下防止固定具Ｂの柵落下移動可能部（２）の下部で保持させる。
【００３０】
これらの一連した作業は簡単に手作業で行うことができる。最終的には、落下防止柵部Ａは柵落下防止固定具Ｂに保持されるので手で保持しておく必要はない。
【００３１】
これらの作業を行うことにより、物品棚の前方向に落下防止柵Ａがないので、安全で簡単に物品を棚に出し入れさせることができる。次いで、収納が完了すれば、図３−４〜１の順になるように作業を行って物品の前方向に落下防止柵Ａを取り付けることができる。
【産業上の利用可能性】
【００３２】
特に、塗料、接着剤、インキ等で使用される原料やその製品等を容器に充填したものを支柱間に棚板を架設してなる物品棚に積載し、使用されるまで収納（格納、貯蔵等）されている物品収納設備に有用である。
【図面の簡単な説明】
【００３３】
【図１】落下防止柵部Ａの１実施例の斜視一部省略図である。
【図２】本考案落下防止具を構成する柵落下防止固定部Ｂの１実施例の斜視図である。
【図３】本考案落下防止具を使用した物品収納設備及び落下防止具の取り外し、取り付けの作業方法を示す斜視一部省略図である。
【図４】落下防止柵部Ａの１実施例の斜視一部省略図である。
【符号の説明】
【００３４】
Ａ：落下防止柵部Ａ
Ｂ：柵落下防止固定部Ｂ
（ａ）：上横支柱部（ａ）
（ｂ）：下横支柱部（ｂ）
（ｃ）：連結縦支柱部（ｃ）
（１）：柵移動固定部（１）
（２）：柵落下移動可能部（２）
（３）：支持体（３）
【図１】
0003116900.tif 000003
【図２】
0003116900.tif 000004
【図３】
0003116900.tif 000005
【図４】
0003116900.tif 000006